(57)【要約】 従来の無線基地局では移動通信システム毎に無線制御装置（ＲＥＣ）と無線装置（ＲＥ）を設け、それぞれの無線信号データ（ＩＱデータ）を別々に受け渡しているため、複数の移動通信システムに対応するためには多大な設備とコストを必要としていた。 ＲＥを複数種類の無線信号を扱えるようにして共通化し、ＲＥＣとＲＥ間で送受信する伝送フレームに、複数種類の無線信号のユーザデータ（ＩＱデータ）および監視制御データを可変的に配置して、１本の通信リンクで同時に複数種類のユーザデータをＲＥＣとＲＥ間で送受信できるようにする。
2008120297.tif 000002
【特許請求の範囲】
【請求項１】
無線信号を用いて移動機と無線通信を行う無線装置と前記無線信号を処理する無線制御装置との間で、前記無線信号に含まれるユーザデータを伝送フレーム上に配置して送受信するユーザデータの通信方法において、
前記無線信号に含まれる前記ユーザデータを送信する際は、前記ユーザデータの前記伝送フレーム上への配置位置を示すビットマップ情報を生成して前記伝送フレームへ付加し、
前記ユーザデータを受信する際は、前記伝送フレームに付加された前記ビットマップ情報を基に前記伝送フレームから前記ユーザデータを抽出し、
第１の無線信号に含まれる第１のユーザデータと、前記第１の無線信号とは通信方式が異なる第２の無線信号に含まれる第２のユーザデータとを同時に送信する際は、前記第１のユーザデータの第１のビットマップ情報と前記第２のユーザデータの第２のビットマップ情報を合成した第３のビットマップ情報を基に前記第１のユーザデータと前記第２のユーザデータを合成して第３のユーザデータを生成し、前記伝送フレームに前記第３のビットマップ情報を付加して前記第３のユーザデータを送信し、
前記第１または第２のユーザデータを受信する際は、前記伝送フレームに付加されている前記第３のビットマップ情報を前記第１または第２のビットマップ情報に分解し、前記分解した第１または第２のビットマップ情報を基に前記第３のユーザデータを前記第１または第２のユーザデータに分解する、
ことを特徴とするユーザデータの通信方法。
【請求項２】
請求項１に記載のユーザデータの通信方法において、
前記ユーザデータは、前記無線信号をＩ相（Ｉｎ  Ｐｈａｓｅ）と、Ｑ相（Ｑｕｖａｄｕｒａｔｕｒｅ  Ｐｈａｓｅ）に分離した値であるＩＱデータの集まりで構成されるＩＱデータブロックであり、
前記伝送フレームとしてＣＰＲＩ（Ｃｏｍｍｏｎ  Ｐｕｂｌｉｃ  Ｒａｄｉｏ  Ｉｎｔｅｒｆａｃｅ）で規定されているＩＱデータフレームを用い、
前記ビットマップ情報の付加は前記ＣＰＲＩで規定されているＶｅｎｄｅｒ  Ｓｐｅｃｉｆｉｃフレームを用いて行う
ことを特徴とするユーザデータの通信方法。
【請求項３】
請求項２に記載のユーザデータの通信方法において、
前記ＩＱデータブロックは１個のアンテナキャリア（ＡＣ）で使用されるＩＱデータであるＩＱデータ情報を１以上含み、
前記ビットマップ情報は前記ＩＱデータブロックに含まれる前記ＩＱデータ情報の数と各ＩＱデータ情報の長さを含むＩＱデータ配置情報の集まりとして構成され、
前記ＩＱデータ情報は、前記ＩＱデータ配置情報を基に前記ＩＱデータブロック内に所定の配置方法で配置される
ことを特徴とするユーザデータの通信方法。
【請求項４】
請求項３に記載のユーザデータの通信方法において、
前記第３のビットマップ情報は前記第１のユーザデータについての第１のＩＱデータ配置情報と前記第２のユーザデータについての第２のＩＱデータ配置情報を含み、
前記第１および第２のユーザデータから第３のユーザデータへの合成、および、前記第３のユーザデータから前記第１および第２のユーザデータへの分解は、前記第３のビットマップ情報に含まれる前記第１および第２のＩＱデータ配置情報を基に行われる
ことを特徴とするユーザデータの通信方法。
【請求項５】
請求項３に記載のユーザデータの通信方法において、
前記ＩＱデータ情報は、前記ＩＱデータ情報の数と前記ＩＱデータ情報の長さを基に、前記ＩＱデータブロック内に前詰めで配置される
ことを特徴とするユーザデータの通信方法。
【請求項６】
請求項１に記載のユーザデータの通信方法において、
前記無線装置は前記第１の無線信号を送受信できる第１の移動機、および、第２の無線信号を送受信できる第２の移動機と同時に無線通信する機能を備え、
前記第１の無線信号を処理する第１の無線制御装置と、前記第２の無線信号を処理する第２の無線制御装置との間に通信リンクを設け、
前記第１の無線制御装置は、前記通信リンクを用いて前記第２の無線制御装置を経由して前記無線装置との間の前記第１のユーザデータの送受信を行う、
ことを特徴とするユーザデータの通信方法。
【請求項７】
請求項１に記載のユーザデータの通信方法において、
前記無線信号に関する保守監視を行うための監視制御データを前記無線装置と前記無線制御装置の間で送受信するための監視制御フレームを備え、
前記無線信号に関する保守監視を行うための前記監視制御データを送受信する際は、前記監視制御データを前記監視制御フレームへ格納し、
前記第１の無線信号の保守監視を行うための第１の監視制御データと、前記第２の無線信号に対する保守監視を行うための第２の監視制御データを同時に送信する際は、前記第１および第２の監視制御データを所定の方法で配置して第３の監視制御データを合成して前記監視制御フレームに格納して送信し、
前記第１または第２の監視制御データを受信する際は、前記監視制御フレームに格納されている前記第３の監視制御データから前記第１または第２の監視制御データを分解し、前記分解した第１または第２の監視制御データを基に前記第１または第２の無線信号の保守監視を行う
ことを特徴とするユーザデータの通信方法。
【請求項８】
請求項７に記載のユーザデータの通信方法において、
前記監視制御フレームはＣＰＲＩで規定されているＨＤＬＣフレームである
ことを特徴とするユーザデータの通信方法。
【請求項９】
請求項７に記載のユーザデータの通信方法において、
前記無線装置は前記第１の無線信号を送受信できる第１の移動機、および、第２の無線信号を送受信できる第２の移動機と同時に無線通信する機能を備え、
前記第１の無線信号を処理する第１の無線制御装置と、前記第２の無線信号を処理する第２の無線制御装置との間に通信リンクを設け、
前記第１の無線制御装置は、前記通信リンクを用いて前記第２の無線制御装置を経由して前記無線装置との間の前記第１の監視制御データの送受信を行う、
ことを特徴とするユーザデータの通信方法。
【請求項１０】
第１の無線信号を用いて第１のユーザデータの無線通信を行う第１の無線通信部と、
前記第１の無線信号とは通信方式が異なる第２の無線信号を用いて第２のユーザデータの無線通信を行う第２の無線通信部と、
前記第１のユーザデータと前記第２のユーザデータを所定の伝送フレームに配置して無線制御装置との通信を行うユーザデータ通信部と、
前記第１および第２のユーザデータを前記所定の伝送フレーム上へ配置する位置を定義するビットマップ情報を生成し、かつ、前記伝送フレームに付加された前記ビットマップ情報を抽出するビットマップ情報入出力部と、
前記第１のユーザデータと前記第２のユーザデータとを同時に前記無線制御装置に送信する際は、前記第１のユーザデータの第１のビットマップ情報と前記第２のユーザデータの第２のビットマップ情報を合成した第３のビットマップ情報を基に前記第１のユーザデータと前記第２のユーザデータを合成して第３のユーザデータを生成し、前記伝送フレームに前記第３のビットマップ情報を付加して前記第３のユーザデータを送信し、前記第１または第２のユーザデータを前記無線制御装置から受信する際は、前記伝送フレームに付加されている前記第３のビットマップ情報を前記第１または第２のビットマップ情報に分解し、前記分解した第１または第２のビットマップ情報を基に前記第３のユーザデータを前記第１または第２のユーザデータに分解するユーザデータ合成分解部を備える
ことを特徴とする無線装置。
【請求項１１】
請求項１０に記載の無線装置において、
前記無線制御装置から受信した第１の監視制御データに基づいて前記第１の無線通信部の保守監視を行う第１の監視制御部と
前記無線制御装置から受信した第２の監視制御データに基づいて前記第２の無線通信部の保守監視を行う第２の監視制御部と、
前記第１の無線通信部の保守監視を行うための第１の監視制御データと、前記第２の無線通信部の保守監視を行うための第２の監視制御データを同時に前記無線制御装置へ送信する際は、前記第１および第２の監視制御データを所定の方法で配置して第３の監視制御データを合成して送信し、前記第３の監視制御データを前記無線制御装置から受信する際は、前記第３の監視制御データを前記第１または第２の監視制御データに分解する監視制御データ合成分解部を備える
ことを特徴とする無線装置。
【請求項１２】
無線信号に含まれるユーザデータを所定の伝送フレームに乗せて通信を行うユーザデータ通信部と、
前記ユーザデータを送信する際は、前記ユーザデータの前記伝送フレーム上への配置位置を示すビットマップ情報を生成して前記伝送フレームへ付加し、前記ユーザデータを受信する際は、前記伝送フレームに付加された前記ビットマップ情報を基に前記伝送フレームから前記ユーザデータを抽出するビットマップ情報付加抽出部と、
第１の無線信号に含まれる第１のユーザデータと、前記第１の無線信号とは通信方式が異なる第２の無線信号に含まれる第２のユーザデータとを同時に送信する際は、前記第１のユーザデータの第１のビットマップ情報と前記第２のユーザデータの第２のビットマップ情報を合成した第３のビットマップ情報を基に前記第１のユーザデータと前記第２のユーザデータを合成して第３のユーザデータを生成し、前記伝送フレームに前記第３のビットマップ情報を付加して前記第３のユーザデータを送信し、前記第１または第２のユーザデータを受信する際は、前記伝送フレームに付加されている前記第３のビットマップ情報を前記第１または第２のビットマップ情報に分解し、前記分解した第１または第２のビットマップ情報を基に前記第３のユーザデータを前記第１または第２のユーザデータに分解するユーザデータ合成分解部を備える、
ことを特徴とする無線制御装置。
【請求項１３】
請求項１２に記載の無線制御装置において
前記第１の無線信号および前記第２の無線信号を用いて移動機と無線通信を行う無線装置に対して、前記第１の無線信号または前記第２の無線信号に関する保守監視を行う保守監視部と、
前記第１の無線信号に関する保守監視を行うための第１の監視制御データと、前記第２の無線信号に関する保守監視を行うための第２の監視制御データを同時に前記無線装置へ送信する際は、前記第１および第２の監視制御データを所定の方法で配置して第３の監視制御データを合成して送信し、前記第１および第２の監視制御データが合成された前記第３の監視制御データを前記無線装置から受信する際は、前記第３の監視制御データを前記第１または第２の監視制御データに分解する監視制御データ合成分解部を備える
ことを特徴とする無線制御装置。
【発明の詳細な説明】
【技術分野】
【０００１】
本発明は無線基地局（ＢＴＳ：Ｂａｓｅ  Ｔｒａｎｓｃｅｉｖｅｒ  Ｓｔａｔｉｏｎ）内に設けられる無線制御装置（ＲＥＣ：Ｒａｄｉｏ  Ｅｑｕｉｐｍｅｎｔ  Ｃｏｎｔｒｏｌ））と無線装置（ＲＥ：Ｒａｄｉｏ  Ｅｑｕｉｐｍｅｎｔ））の間のデータ通信技術に関し、特に、無線制御装置と無線装置の間で送受信する伝送フレーム上に、複数種類のユーザデータ（ＩＱデータ）を可変的に配置して、１本の通信リンクで複数種類のユーザデータを同時に伝送できるデータ通信方法、無線制御装置、および、無線装置に関する。
【背景技術】
【０００２】
現状の移動通信システムは、通信の高速化、大容量化等の要求に応えるために、新しい通信方式の無線信号技術を取り入れた新しい移動通信システムを構築することで市場動向に対応している。しかながら、新しい移動通信システムの導入により既存の移動通信システムから新規の移動通信システムへ一気に切り替わることはなく市場動向に合わせて順次に切り替えて行くことになり、複数種類の移動通信システムが混在して運用されることになる。              【０００３】
図１は、移動通信システムのネットワーク構成例で、二つの移動通信システムとして３Ｇ（Ｔｈｉｒｄ  Ｇｅｎｅｒａｔｉｏｎ）システム１００と、３Ｇシステムに対して高速化・広帯域などを図った新しい移動通信システムの一つであるＬＴＥ（Ｌｏｎｇ−Ｔｅｒｍ  Ｅｖｏｌｕｔｉｏｎ）システム２００とが混在する場合のネットワーク構成例を示している。【０００４】
例えば、３Ｇシステム１００は無線ネットワークの制御機能を受け持つＲＮＣ（ｒａｄｉｏ  ｎｅｔｗｏｒｋ  ｃｏｎｔｒｏｌｌｅｒ）１２０、ＩＰ−ＲＮＣ１２０ａ、無線信号の管理・変換機能を受け持つＢＴＳ１１０、ＩＰ−ＢＴＳ１１０ａから構成される。３Ｇシステム１００のＢＴＳ−１１０、ＩＰ−ＢＴＳ１１０ａと移動端末１（図１では３Ｇ−ＭＳと表記）との間は３Ｇ用の通信方式による無線信号でリンクされる。  【０００５】
ＬＴＥシステム２００は無線信号のスイッチングと一部の無線ネットワークの制御を受け持つａＧＷ（ａｃｃｅｓｓ  ｇａｔｅｗａｙ）２２０と無線信号の管理・変換機能を持つＢＴＳ２１０（図１ではＬＴＥ−ＢＴＳと表記）から構成される。ＬＴＥシステム２００のＬＴＥ−ＢＴＳ２１０と上位装置のａＧＷ２２０の間はＩＰプロトコルで、また、ＬＴＥ−ＢＴＳ２１０と移動機２（図１ではＬＴＥ−ＭＳと表記）の間はＬＴＥシステム用の通信方式による無線信号でリンクされる。【０００６】
３Ｇシステム１００とＬＴＥシステム２００は、コアネットワーク９００（ＣＮと表記）の無線信号のスイッチング機能を受け持つＭＳＣ（ｍｏｂｉｌｅ  Ｓｗｉｔｃｈｉｎｇ  Ｃｅｎｔｅｒ）９１０、異なるシステム間の接続を管理するＩＡＳＡ（Ｉｎｔｅｒ  Ａｃｃｅｓｓ  Ｓｙｓｔｅｍ  Ａｎｃｈｏｒ）９２０、および、ａＧＷ２２０を介して連携する。【０００７】
上記のネットワーク例のように、ＢＴＳ１１０、ＩＰ−ＢＴＳ１１０ａは３Ｇシステム１００の通信方式に準拠した無線信号を用いる移動機１（３Ｇ−ＭＳ）を制御する無線基地局（ＢＴＳ）であり、ＬＴＥ−ＢＴＳ２１０はＬＴＥシステム２００の通信方式に準拠した無線信号を用いる移動機２（ＬＴＥ−ＭＳ）を制御する無線基地局であり、異なる通信方式の無線信号を用いる移動機１（３Ｇ−ＭＳ）および移動機２（ＬＴＥ−ＭＳ）の間でシームレスに通信できるようにするためには、同一の無線基地局で同時に移動機１（３Ｇ−ＭＳ）および移動機２（ＬＴＥ−ＭＳ）を制御できるようにする必要がある。【０００８】
図２は、無線基地局（ＢＴＳ）の構成例で、３Ｇシステム１００のＢＴＳ１１０を代表例として示している。【０００９】
無線基地局１１０は、上位装置ＲＮＣ１２０と通信する無線制御装置１１１（ＲＥＣ）、移動機１（３Ｇ−ＭＳ）と３Ｇシステムの通信方式に準拠した無線信号で無線通信する無線装置１１２（ＲＥ）を含んでいる。ＲＥ１１２は、例えば地下街などに設置され、ＲＥＣ１１１の設置された地点からでは電波が充分到達しないような場所においても移動機１の使用を可能とすることができる。通常はＲＥ１１２は複数台設置されて１台のＲＥＣ１１１に、例えば、光ファイバーによる通信リンク８で接続される。ＲＥＣ１１１はこの通信リンク８を介してＲＥ１１２と３Ｇシステム用の無線信号に対応したユーザデータを送受信し、上位装置であるＲＮＣ１２０と通信する。【００１０】
上記のように、無線基地局(ＢＴＳ)の設置形態は、無線制御装置(ＲＥＣ)と無線装置(ＲＥ)とが離れた場所に設置され、その間を光ファイバーで結ぶ1対ｎの接続形態が一般化している。またＲＥＣとＲＥとの間の通信リンクのインタフェースとしては、例えば、Ｃｏｍｍｏｎ  Ｐｕｂｌｉｃ  Ｒａｄｉｏ  Ｉｎｔｅｒｆａｃｅ (ＣＰＲＩ)を用いるケースが増加している。このＣＰＲＩの詳細な内容については、非特許文献1 に示されている。【００１１】
図３は、ＣＰＲＩで定義される通信プロトコルの概要を示している。【００１２】
ユーザデータ（ＩＱデータ）はＬａｙｅｒ  ２の“ＩＱ  Ｄａｔａ”フレームと、Ｌａｙｅｒ  ３の“Ｕｓｅｒ  Ｐｌａｎｅ”を用いている。また、ＲＥ１１２に対する保守監視のための監視制御データの送受信は、Ｌａｙｅｒ  ２の“ＬＡＰＢ  Ｐｒｏｔｏｃｏｌ”のＨＤＬＣフレームと、Ｌａｙｅｒ  ３の“Ｃｏｎｔｒｏｌ  ＆  Ｍａｎａｇｅｍｅｎｔ  Ｐｌａｎｅ”を用いる。  Ｌａｙｅｒ  ２の“Ｖｅｎｄｅｒ  Ｓｐｅｃｉｆｉｃ”フレームはベンダーが特定の目的で使用できるフレームである。以下の記述では、ユーザデータ（ＩＱデータ）を受け渡す伝送フレームをＩＱデータフレーム、監視制御データを受け渡す伝送フレームをＨＤＬＣフレーム、“Ｖｅｎｄｅｒ  Ｓｐｅｃｉｆｉｃ”なデータを受け渡す伝送フレームをＶＳフレームと表記する。【００１３】
ＣＰＲＩで定義される通信プロトコルの詳細については、非特許文献１に示されているので、ここでは、詳細な説明は省略する。【００１４】
図４は、ＣＰＲＩのユーザデータの伝送フレームの構成例で、ユーザデータとして、無線信号をＩ相（Ｉｎ  Ｐｈａｓｅ）とＱ相（Ｑｕａｄｒａｔｕｒｅ  Ｐｈａｓｅ）に分離して表すＩＱデータを用いた場合を示す。【００１５】
ＩＱデータの伝送フレームは１６ワード（Ｗ０−Ｗ１５）から成り、Ｗ＝０は制御ワードとして用いられる。図４では、＃Ｚ．Ｘ．０、＃Ｚ．Ｘ．１が制御ワードとなる。
１ワードのビット長はＣＰＲＩのラインビットレートに依存し、図４は、ＣＰＲＩのラインビットレートが１２２８．８Ｍｂｉｔ／ｓの場合を例示している。この場合は、図４のＢ＝００、・・・Ｂ＝１５に示すように、１ワードは１６ビットで構成され、Ｂ＝００はＬＳＢとなり、Ｂ＝１５がＭＳＢとなる。
領域８００はＩＱデータブロックで、本領域にユーザデータであるＩＱデータがビットマップされて無線制御装置（ＲＥＣ）と無線装置（ＲＥ）の間で伝送される。
ＣＰＲＩの伝送フレーム構成については、非特許文献１にその詳細が示されているので、ここでは、その詳細の説明を省略する。【００１６】
図５は、ユーザデータの伝送フレームへの配置例（１）で、３Ｇシステムの場合を例示している。
ここでは、２ＡＣ（Ａｎｔｅｎｎａ  Ｃａｒｒｉｅｒ）分のユーザデータ、つまり、ＩＱデータをＩＱデータブロック８００に収容する場合を例示している。【００１７】
１ＡＣ分のＩＱデータをＩＱデータ情報と表記すると、８０１は最初のＡＣについてのＩＱデータ情報であり、Ｉ００およびＱ００はＬＳＢを示し、Ｉ１４およびＱ１４はＭＳＢを示す。３Ｇシステムの場合は、１ＡＣあたりのＩＱビット数は１５ビットであり、１ＩＱビットはＩビットとＱビットの２ビット分の情報を含んでいるため、ＩＱデータ情報の長さは３０ビットとなる。１ＡＣ内のＩＱデータ情報の各ビットは、ＬＳＢビットからＭＳＢビット方向へ、ＩビットとＱビットを交互に時系列に配置する。同様に、８０２は２番目のＡＣについてのＩＱデータ情報となる。【００１８】
図６は、ユーザデータの伝送フレームへの配置例（２）で、ＬＴＥシステムの場合を例示している。【００１９】
ここでは、２ＡＣ分のＩＱデータ情報８０１、８０２をＩＱデータブロック８００へ収容する場合を例示している。【００２０】
ＬＴＥシステムでは、１ＡＣあたり３０個のＩＱビットが使用され、１個のＩＱビットはＩビットとＱビットの２ビットで構成されるため、ＩＱデータ情報の長さは６０ビットとなる。【００２１】
上記図５、図６に示したように、ＩＱデータ情報のビット数は移動通信システム毎、つまり、使用する無線信号の種類毎に固定であるため、ＣＰＲＩリンクのＩＱデータブロック上のビットマップは移動通信システム毎に固有なものになっている。このため、１本のＣＰＲＩリンクでは伝送フレーム内のＩＱデータブロック上のビットマップが移動通信システムに依存して設定されるため、１本のＣＰＲＩリンクで異なる移動通信システムのＩＱデータを同時に混在させて伝送するのは難しい。【００２２】
仮に、異なる通信システムの異なるビット数のＩＱデータを１本のＣＰＲＩリンクで収容しようとした場合、それらの複数の移動通信システムに対応するようにＩＱデータブロック内の領域を各移動通信システム毎に固定的に割り当てる必要があり、例えば休止中の移動通信システムにもＩＱデータブロックの一定領域が割り振られる等、ＩＱデータブロック領域の利用効率が低下する。また、システムの拡張の際は、上記のように固定化したＩＱデータブロック上の割当領域の配置を変更する必要がありシステムの拡張が柔軟に行えず、システム拡張に多大なコストと時間を要することが予想される。【００２３】
図７は、従来技術による無線基地局（ＢＴＳ）の構成例で、複数の移動通信システムが混在した場合の構成例を示している。
前記図５の説明で示したように、現状では１本のＣＰＲＩリンクで異なる移動通信システムのＩＱデータを同時に搬送する事ができないために、各々の移動通信システムは各々独立したＣＰＲＩリンクと専用のＲＥを用いらなければならない。【００２４】
このため、従来の方法で、二つの移動通信システム、３ＧシステムとＬＴＥシステムの異なる無線信号を扱う移動機１、移動機２を同じ無線基地局１１０ｂで同時に制御できるようにするためには、例えば図７に示すように、３Ｇシステム用の無線制御装置１１１（３Ｇ−ＲＥＣ）とＬＴＥシステム用の無線制御装置２１１（ＬＴＥ−ＲＥＣ）を設けた上に、さらに、３Ｇシステム用の無線装置１１２（３Ｇ−ＲＥ）とＬＴＥシステム用の無線装置２１２（ＬＴＥ−ＲＥ）を同じ場所に設置する必要がある。そして、無線装置１１２（３Ｇ−ＲＥ）と無線装置２１２（ＬＴＥ−ＲＥ）はそれぞれ別の通信リンク８１、８２により３Ｇ−ＲＥＣ１１１、ＬＴＥ−ＲＥＣ２１１に接続する必要がある。  【００２５】
このように、異なる無線信号を用いる複数の移動通信システムの端末間でシームレスに無線通信を行えるようにするためには、設置する装置の数（特にＲＥの数）が増大し、装置設置面積、必要電力、装置設置費用の増加となり、多大な設備投資が必要となる。【００２６】
また、ユーザデータ（ＩＱデータ）を正しく制御するためには無線信号を直接制御するＲＥの動作状態の監視と制御が必須であり、通常ＲＥＣにはオペレーションシステムが接続され、オペレーションシステムからの指示によりＲＥを保守監視するための監視制御データがＲＥＣとＲＥの間で受け渡される。この監視制御データについても、各移動通信システム毎に固定的に伝送フレーム（ＨＤＬＣフレーム）に格納されるため、１本のＣＰＲＩリンクで同時に複数の移動通信システムの監視制御データを送受信することができない。
【非特許文献１】ＣＰＲＩ  Ｓｐｅｃｉｆｉｃａｔｉｏｎ  Ｖ２．１（２００６−０３−３１、＜http://www.cpri.info/spec.html＞）
【発明の開示】
【００２７】
（発明が解決しようとする課題）
前述の通り、１本のＣＰＲＩリンクでは伝送フレーム内のＩＱデータブロック上のビットマップがシステムに依存して固定されるため、１本のＣＰＲＩリンクで異なる通信システムのＩＱデータを同時に搬送する事ができない。また、無線装置（ＲＥ）に対する監視制御データについても、移動通信システム別に送受信されるため、複数の移動通信システムの監視制御データを１本のＣＰＲＩリンクで同時に送受信することができない。
【００２８】
本発明の目的は、無線制御装置（ＲＥＣ）と無線装置（ＲＥ）間で送受信する伝送フレームに、各移動通信システムのユーザデータ（ＩＱデータ）および監視制御データを可変的に配置して、１本の通信リンクで複数の移動通信システムのデータを同時に伝送できるようにするデータ通信方法、無線制御装置（ＲＥＣ）、および、無線装置（ＲＥ）を提供することである。
（課題を解決するための手段）
本発明は、無線信号を用いて移動機と無線通信を行う無線装置と前記無線信号を処理する無線制御装置との間で、前記無線信号に含まれるユーザデータを伝送フレーム上に配置して送受信するユーザデータの通信方法において、前記無線信号に含まれる前記ユーザデータを送信する際は、前記ユーザデータの前記伝送フレーム上への配置位置を示すビットマップ情報を生成して前記伝送フレームへ付加し、前記ユーザデータを受信する際は、前記伝送フレームに付加された前記ビットマップ情報を基に前記伝送フレームから前記ユーザデータを抽出し、第１の無線信号に含まれる第１のユーザデータと、前記第１の無線信号とは通信方式が異なる第２の無線信号に含まれる第２のユーザデータとを同時に送信する際は、前記第１のユーザデータの第１のビットマップ情報と前記第２のユーザデータの第２のビットマップ情報を合成した第３のビットマップ情報を基に前記第１のユーザデータと前記第２のユーザデータを合成して第３のユーザデータを生成し、前記伝送フレームに前記第３のビットマップ情報を付加して前記第３のユーザデータを送信し、前記第１または第２のユーザデータを受信する際は、前記伝送フレームに付加されている前記第３のビットマップ情報を前記第１または第２のビットマップ情報に分解し、前記分解した第１または第２のビットマップ情報を基に前記第３のユーザデータを前記第１または第２のユーザデータに分解する、ように構成される。
【００２９】
これによれば、通信方式が異なる複数種類の無線信号のデータを、同一の伝送フレームに同時に配置して送受信することができるようになる。
【００３０】
また、本発明は、前記ユーザデータは、前記無線信号をＩ相（Ｉｎ  Ｐｈａｓｅ）と、Ｑ相（Ｑｕｖａｄｕｒａｔｕｒｅ  Ｐｈａｓｅ）に分離した値であるＩＱデータの集まりで構成されるＩＱデータブロックであり、前記伝送フレームとしてＣＰＲＩ（Ｃｏｍｍｏｎ  Ｐｕｂｌｉｃ  Ｒａｄｉｏ  Ｉｎｔｅｒｆａｃｅ）で規定されているＩＱデータフレームを用い、前記ビットマップ情報の付加は前記ＣＰＲＩで規定されているＶｅｎｄｅｒ  Ｓｐｅｃｉｆｉｃフレームを用いて行う、ように構成できる。
【００３１】
これにより、無線制御装置（ＲＥＣ）と無線装置（ＲＥ）との間の標準的な通信方法であるＣＰＲＩ仕様を活用して、効率的に移動通信システムを構築できるようになる。
【００３２】
本発明は、また、前記ＩＱデータブロックは１個のアンテナキャリア（ＡＣ）で使用されるＩＱデータであるＩＱデータ情報を１以上含み、前記ビットマップ情報は前記ＩＱデータブロックに含まれる前記ＩＱデータ情報の数と各ＩＱデータ情報の長さを含むＩＱデータ配置情報を含み、前記ＩＱデータ情報は、前記ＩＱデータ配置情報を基に前記ＩＱデータブロック内に所定の配置方法で配置される、ように構成することもできる。
【００３３】
これによれば、無線信号の種別により異なるＩＱデータ情報のサイズや、ＩＱデータ情報の数に依存することなく、様々な種類の無線信号が混在した移動通信システムの構築を効率的に行うことができるようになる。
さらに、本発明では、前記第３のビットマップ情報は前記第１のユーザデータについての第１のＩＱデータ配置情報と前記第２のユーザデータについての第２のＩＱデータ配置情報を含み、前記第１および第２のユーザデータから第３のユーザデータへの合成、および、前記第３のユーザデータから前記第１および第２のユーザデータへの分解は、前記第３のビットマップ情報に含まれる前記第１および第２のＩＱデータ配置情報を基に行われる、ように構成できる。
【００３４】
これにより、無線制御装置（ＲＥＣ）と無線装置（ＲＥ）の間で、複数の異なる種別のユーザデータを１本の通信リンク（例えば、ＣＰＲＩ通信リンク）で送受信することが可能となる。
【００３５】
本発明は、また、前記無線装置は前記第１の無線信号を送受信できる第１の移動機、および、第２の無線信号を送受信できる第２の移動機と同時に無線通信する機能を備え、前記第１の無線信号を処理する第１の無線制御装置と、前記第２の無線信号を処理する第２の無線制御装置との間に通信リンクを設け、前記第１の無線制御装置は、前記通信リンクを用いて前記第２の無線制御装置を経由して前記無線装置との間の前記第１のユーザデータの送受信を行う、ように構成できる。
【００３６】
これにより、複数種別の無線信号を用いて移動機と無線通信できる無線装置（ＲＥ）と各無線信号種別に対応して設けられる複数の無線制御装置（ＲＥＣ）との間のユーザデータの受け渡しを、各無線制御装置（ＲＥＣ）を数珠繋ぎに接続した１本の通信リンクを用いて行うことができる。
さらに、本発明では、前記無線信号に関する保守監視を行うための監視制御データを前記無線装置と前記無線制御装置の間で送受信するための監視制御フレームを備え、前記無線信号に関する保守監視を行うための前記監視制御データを送受信する際は、前記監視制御データを前記監視制御フレームへ格納し、前記第１の無線信号の保守監視を行うための第１の監視制御データと、前記第２の無線信号に対する保守監視を行うための第２の監視制御データを同時に送信する際は、前記第１および第２の監視制御データを所定の方法で配置して第３の監視制御データを合成して前記監視制御フレームに格納して送信し、前記第１または第２の監視制御データを受信する際は、前記監視制御フレームに格納されている前記第３の監視制御データから前記第１または第２の監視制御データを分解し、前記分解した第１または第２の監視制御データを基に前記第１または第２の無線信号の保守監視を行う、ように構成できる。
【００３７】
これにより、複数種別の無線信号を用いて移動機と無線通信できる無線装置（ＲＥ）の保守監視のための監視制御データの送受信を１本の通信リンクを用いて行える。
（発明の効果）
各移動通信システムに対応して設けられる無線制御装置（ＲＥＣ）と、共通に設けられる無線装置（ＲＥ）の間で、複数の通信方式のユーザデータを１本の通信リンクを用いて送受信することが可能となり、異種の移動通信システムが混在したシステム構築する場合でも、ＲＥを移動通信システム毎に設置することが不要となり、複数の移動通信システムに対応した無線基地局を効率的に、低コストで構築できるようになる。
【図面の簡単な説明】
【００３８】
【図１】移動通信システムのネットワーク構成例である。
【図２】無線基地局（ＢＴＳ）の構成例である。
【図３】ＣＰＲＩで規定されている通信プロトコルの概要である。
【図４】ＣＰＲＩのユーザデータの伝送フレームの構成例である。
【図５】ユーザデータの伝送フレームへの配置例（１）である。
【図６】ユーザデータの伝送フレームへの配置例（２）である。
【図７】従来技術による無線基地局（ＢＴＳ）の構成例である。
【図８】本発明による無線基地局（ＢＴＳ）の構成例である。
【図９】本発明の無線制御装置（ＲＥＣ）の構成例（１）である。
【図１０】本発明の無線制御装置（ＲＥＣ）の構成例（２）である。
【図１１】本発明の無線装置（ＲＥ）の構成例である。
【図１２】本発明のＩＱデータブロックの構成例である。
【図１３】本発明のビットマップ情報の構成例である。
【図１４】本発明のビットマップ情報の使用例である。
【図１５】本発明のユーザデータの合成分解の動作フロー（１）である。
【図１６】本発明のユーザデータの合成分解の動作フロー（２）である。
【図１７】本発明のユーザデータの伝送シーケンス例（１）である。
【図１８】本発明のユーザデータの伝送シーケンス例（２）である。
【図１９】本発明の監視制御データの構成例（１）である。
【図２０】本発明の監視制御データの構成例（２）である。
【図２１】本発明の監視制御データの伝送シーケンス例（１）である。
【図２２】本発明の監視制御データの伝送シーケンス例（２）である。
【図２３】本発明の監視制御データの伝送シーケンス例（３）である。
【図２４】本発明の監視制御の動作フロー（１）である。
【図２５】本発明の監視制御の動作フロー（２）である。
【図２６】本発明の監視制御の動作フロー（３）である。
【図２７】本発明の監視制御の動作フロー（４）である。
【符号の説明】
【００３９】
１    ３Ｇシステムの移動機（３Ｇ−ＭＳ）
２    ＬＴＥシステムの移動機（ＬＴＥ−ＭＳ）
１０    本発明の３Ｇシステム無線制御装置（３Ｇ−ＲＥＣ）
１１    ＣＰＲＩ通信部
１２    ビットマップ情報入出力部
１３    ３Ｇ保守監視部
２０    本発明のＬＴＥシステム無線制御装置（ＬＴＥ−ＲＥＣ）
２１    ＣＰＲＩ通信部
２２    ＩＱデータ合成分解部
２３、２４、２５    ビットマップ情報入出力部
２６    監視制御データ合成分解部
２７    ＬＴＥ保守監視部
３０    本発明の無線装置（ＲＥ）
３１    ＣＰＲＩ通信部
３２、３２ａ、３２ｂ    ビットマップ情報入出力部
３３    ＩＱデータ合成分解部
３４    監視制御データ合成分解部
３５    ３Ｇ監視制御部
３６    ＬＴＥ監視制御部
３７    ３Ｇ無線通信部
３８    ＬＴＥ無線通信部
１００    ３Ｇ移動通信システム
１１０    ３Ｇ  ＢＴＳ
１１１    ３Ｇ−ＲＥＣ
１１２    ３Ｇ−ＲＥ
２００    ＬＴＥ移動通信システム
２１０    ＬＴＥ−ＢＴＳ
２２０    ａＧＷ
２１１    ＬＴＥ−ＲＥＣ
２１２    ＬＴＥ−ＲＥ
３１０    ＢＴＳ
５００    応答データ
６００    要求データ
７００    ビットマップ情報
８００    ＩＱデータブロック
９００    コアネットワーク
９１０    ＭＳＣ
９２０    ＩＡＳＡ
【発明を実施するための最良の形態】
【００４０】
図８は、本発明による無線基地局の構成例で、２つの移動通信システム（３ＧおよびＬＴＥシステム）毎に用意される３Ｇ−ＲＥＣ１０とＬＴＥ−ＲＥＣ２０の間、および、ＬＴＥ−ＲＥＣ２０と１台の共通のＲＥ３０の間を１本の通信リンクで接続する場合を代表例として示している。従来のＲＥは３Ｇ−ＲＥ１１２に示されるように、３Ｇ−ＭＳ１としか無線通信ができないが、本発明のＲＥ３０では２つの移動通信システムの移動機である３Ｇ−ＭＳ１およびＬＴＥ−ＭＳ２と同時に無線通信することができるようになる。【００４１】
前記図７の構成例と比較して、エリア７２に関するＲＥの設置台数が半減して１台となっている。３Ｇ−ＲＥＣ１０、ＬＴＥ−ＲＥＣ２０は、それぞれ、３Ｇシステム用の上位装置ＲＮＣ、ＬＴＥシステム用の上位装置ａＧＷと接続してそれぞれの移動通信システムに準拠したデータの送受信を行う必要があるため、移動通信システム毎に設ける必要があるが、装置の台数が多い無線装置ＲＥについては１台のＲＥで３Ｇシステムの無線信号とＬＴＥシステムの無線信号の両方を扱えるようになり、大幅な設備投資の削減が可能となる。【００４２】
図８では、２つの移動通信システムに対応した無線基地局３１０の例を示したが、３以上の移動通信システムに対応する場合も同様で、その際は、ＬＴＥ−ＲＥＣ２０にさらに通信リンクを介して第３の移動通信システムに対応した第３のＲＥＣを設置し、その第３のＲＥＣと共通のＲＥ３０の間に通信リンクを設けて（この場合は、従来のＬＴＥ―ＲＥＣ２０とＲＥ３０の通信リンクは不要）、ＲＥ３０で３つに移動通信システムに対応した３種類の移動機と無線通信する、ように構成することもできる。【００４３】
以下の本発明の実施形態の記述では、３Ｇシステムの無線信号を第１の無線信号として、ＬＴＥシステムの無線信号を第２の無線信号として説明する。【００４４】
図９は、本発明の無線制御装置の構成例（１）で、３Ｇシステム用のＲＥＣ装置１０（３Ｇ−ＲＥＣ）の構成例を示している。本構成例では、通信リンクとしてＣＰＲＩ準拠の通信リンク（以下ＣＰＲＩリンクと表記）を用いて、ユーザデータであるＩＱデータおよび監視制御データを送受信する。【００４５】
３Ｇ−ＲＥＣ１０は、ＣＰＲＩ通信部１１、ビットマップ情報入出力部１２、３Ｇ監視制御部１３を含んでいる。
ＣＰＲＩ通信部１１は、ＣＰＲＩで規定されている伝送フレームを用いて、ユーザデータ（ＩＱデータ）、監視制御データ、ＶＳデータ（Ｖｅｎｄｅｒ  Ｓｐｅｃｉｆｉｃデータ）などの送受信を行う。
ビットマップ情報入出力部１２は、上位装置（ＲＮＣ）から受信した３Ｇシステムのユーザデータ（ＩＱデータ）を基にビットマップ情報を生成し、受信したＩＱデータと生成したビットマップ情報をＣＰＲＩ通信部１１を介してＬＴＥ−ＲＥＣ２０へ送信する。このとき、ＩＱデータについてはＣＰＲＩのＩＱデータフレームに格納され、ビットマップ情報についてはＣＰＲＩのＶＳフレームに格納されて送信される。【００４６】
また、ビットマップ情報入出力部１２は、ＣＰＲＩ通信部１１からＩＱデータフレームを受信した場合は、ＶＳフレームに格納されているビットマップ情報を基に受信したＩＱデータフレームから３Ｇシステム用のユーザデータ（ＩＱデータ）を抽出して、上位装置（ＲＮＣ）へ送信する。
３Ｇ保守監視部１３は、３Ｇシステムの無線信号に関係するＲＥ内のカードの状態監視およびＲＥ３０に対する制御を、３Ｇ−ＲＥＣ１０に接続されるオペレーションシステム（ＯＰＳ）からの指示に従って行う。このために、３Ｇ保守監視部１３は、ＲＥ３０に対する指示情報を含む要求データをＣＰＲＩ通信部１１を介してＲＥ３０へ送信する。この際、要求データはＣＰＲＩのＨＤＬＣフレームに格納して送信される。また、３Ｇ保守監視部１３は、要求データに対するＲＥ３０からの応答データをＣＰＲＩ通信部１１を介して（ＨＲＬＣフレームに格納されて）受信すると、その応答に関連したデータを図示していないオペレーションシステム（ＯＰＳ）へ送信する。【００４７】
図１０は、本発明の無線制御装置の構成例（２）で、前記図８に示したＢＴＳの構成例の中のＬＴＥ−ＲＥＣ２０の構成例を示している。
ＣＰＲＩ通信部２１は３Ｇ−ＲＥＣとの間でＣＰＲＩに準拠した伝送フレームを用いてデータを送受信する。
ＣＰＲＩ通信部２１ａはＲＥＣ３０との間でＣＰＲＩに準拠した伝送フレームを用いてデータを送受信する。【００４８】
ビットマップ情報入出力部２３は、ＣＰＲＩ通信部２１から渡された伝送フレームからビットマップ情報とＩＱデータブロックを取り出してＩＱデータ合成分解部２２へ出力する。このとき、ビットマップ情報はＶＳフレームから抽出する。
また、ビットマップ情報入出力部２３は、ＩＱデータ合成分解部２２から渡されたビットマップ情報をＣＰＲＩのＶＳフレームへ格納して、ＩＱデータブロックと共にＣＰＲＩ通信部２１へ出力して３Ｇ−ＲＥＣ１０へ送信する。【００４９】
ビットマップ情報入出力部２４は、ＩＱデータ合成分解部２２から出力されたビットマップ情報をＣＰＲＩのＶＳフレームに格納し、ＩＱデータブロックと共にＣＰＲＩ通信部２１ａを介してＲＥ３０へ送信する。
また、ビットマップ情報入出力部２４は、ＣＰＲＩ通信部２１ａから出力された伝送フレームからＩＱデータとビットマップ情報を抽出して、ＩＱデータ合成分離部２２へ出力する。【００５０】
ビットマップ情報入出力部２５は、図示していない上位装置（ａＧＷ）からＩＱデータを受信したときは、その受信したＩＱデータのビットマップ情報を生成して、ＩＱデータと共にＩＱデータ合成分解部２２へ出力する。
また、ビットマップ情報入出力部２５は、ＩＱデータ合成分解部２２からＩＱデータを受信したときは、そのＩＱデータを図示していない上位装置（ａＧＷ）へ送信する。【００５１】
ＩＱデータ合成分解部２２は、ビットマップ情報入出力部２３から３ＧシステムのＩＱデータとビットマップ情報を受信すると同時に、ビットマップ情報入出力部２５からもＬＴＥシステムのＩＱデータとビットマップ情報を受けている場合は、ビットマップ情報入出力部２３から受信した３ＧシステムのＩＱデータとビットマップ情報入出力部２５から受信したＬＴＥシステムのＩＱデータを合成し、その合成したＩＱデータのビットマップ情報を付加し、ビットマップ情報入出力部２４に渡してＲＥ３０へ送信する。ビットマップ情報入出力部２３、または、ビットマップ情報入出力部２５のいずれか一方からしかＩＱデータとビットマップ情報が受信されていない場合は、そのＩＱデータとビットマップ情報そのままビットマップ情報入出力部２４へ出力して、ＲＥ３０へ送信する。
また、ＩＱデータ合成分解部２２は、ビットマップ情報入出力部２４からＩＱデータとビットマップ情報を受信した場合は、それを無線信号の種別毎のＩＱデータに分離し、ＬＴＥシステムのＩＱデータについては、ビットマップ情報入出力部２５へ出力し、３ＧシステムのＩＱデータについては、そのビットマップ情報を付加してビットマップ情報入出力部２３へ出力して３Ｇ−ＲＥＣ１０へ送信する。ビットマップ情報入出力部２４から受信したＩＱデータに３ＧシステムまたはＬＴＥシステムのいずれか一方のＩＱデータしか含まれていない場合は、ＩＱデータとビットマップ情報をそのまま、３Ｇシステムの場合はビットマップ情報入出力部２３へ、ＬＴＥシステムの場合はビットマップ情報入出力部２５へ出力する。【００５２】
ＬＴＥ保守監視部２７は図示していないオペレーションシステム（ＯＰＳ）から受信した指示情報に基づいて、ＲＥ３０に対する要求を示す監視制御データ（以下、要求データと表記）を生成して監視制御データ合成分解部２６へ出力する。要求データとしては、ＲＥに実装されているカード状態の報告要求、制御要求などがある。【００５３】
監視制御データ合成分解部２６は、ＣＰＲＲＩ通信部２１、または、ＬＴＥ保守監視部２７のいずれか一方から要求データを受信した場合は、その受信した要求データをＨＤＬＣフレームに格納してＣＰＲＩ通信部２１ａを介してＲＥ３０へ送信する。また、監視制御データ合成分解部２６は、ＣＰＲＩ通信部２１、および、ＬＴＥ保守監視部２７から同時に要求データを渡された場合は、その二つの要求データを合成して新たな要求データとし、ＣＰＲＩ通信部２１ａを介してＲＥ３０へ送信する。
また、監視制御データ合成分解部２６は、要求データに対するＲＥ３０からの応答データをＣＰＲＩ通信部２１ａを介して受信した際は、その応答データをＬＴＥシステムと３Ｇシステムのそれぞれの応答データに分解し、ＬＴＥシステムの応答データについてはＬＴＥ保守監視部２７へ渡し、３Ｇシステムの応答データについては、ＣＰＲＩ通信部２１を介して３Ｇ−ＲＥＣ１０へ送信する。【００５４】
図１１は、本発明の無線装置の構成例である。
ＣＰＲＩ通信部３１はＬＴＥ−ＲＥＣ２０との間でＣＰＲＩに準拠した伝送フレームを送受信する。
３Ｇ無線通信部３７は３Ｇシステム用の無線信号を用いる移動機１（３Ｇ−ＭＳ）と無線通信を行う。
ＬＴＥ無線通信部３８はＬＴＥシステム用の無線信号を用いる移動機２（ＬＴＥ−ＭＳ）と無線通信を行う。【００５５】
ビットマップ情報入出力部３２は、ＣＰＲＩ通信部３１から出力された伝送フレームからビットマップ情報とＩＱデータブロックを取り出してＩＱデータ合成分解部３３へ出力する。このとき、ビットマップ情報はＶＳフレームより抽出し、ＩＱデータブロックはＩＱデータフレームから取り出す。
また、ビットマップ情報入出力部３２は、ＩＱデータ合成分解部３３から出力されたビットマップ情報をＣＰＲＩのＶＳフレームへ格納し、ＩＱデータフレームと共にＣＰＲＩ通信部３１を介してＬＴＥ−ＲＥＣ２０へ送信する。【００５６】
ビットマップ情報入出力部３２ａは、ＩＱデータ合成分解部３３から渡された３ＧシステムのＩＱデータを３Ｇ無線通信部３７へ出力する。また、３Ｇ無線通信部３７から受信した３ＧシステムのＩＱデータにビットマップ情報を付加してＩＱデータ合成分解部３３へ出力する。【００５７】
ビットマップ情報入出力部３２ｂは、ＩＱデータ合成分解部３３から出力されたＬＴＥシステムのＩＱデータをＬＴＥ無線通信部３８に出力する。また、ＬＴＥ無線通信部３８から受信したＬＴＥシステムのＩＱデータにビットマップ情報を付加してＩＱデータ合成分解部３３へ出力する。【００５８】
ＩＱデータ合成分解部３３は、ビットマップ情報入出力部３２からＩＱデータとビットマップ情報を渡された場合は、それを無線信号種別毎のＩＱデータに分解し、３ＧシステムのＩＱデータについてはビットマップ情報入出力部３２ａへ出力し、ＬＴＥシステムのＩＱデータについてはビットマップ情報入出力部３２ｂへ出力する。
また、ＩＱデータ合成分解部３３は、ビットマップ情報入出力部３２ａまたはビットマップ情報入出力部３２ｂの一方からＩＱデータとビットマップ情報を受信した場合は、その受信したＩＱデータとビットマップ情報をそのままビットマップ情報入出力部３２へ出力する。また、ビットマップ情報入出力部３２ａとビットマップ情報入出力部３２ｂから同時にＩＱデータとビットマップ情報を受信した場合は、それらのＩＱデータを合成し、その合成したＩＱデータについてのビットマップ情報を付加してビットマップ情報入出力部３２へ出力する。【００５９】
監視制御データ合成分解部３４は、ＣＰＲＩ通信部３１から出力された要求データを移動通信システム別、つまり、無線信号種別毎に分解し、３Ｇシステムの要求データについては３Ｇ監視制御部３５へ出力し、ＬＴＥシステムの要求データについては、ＬＴＥ監視制御部３６へ出力する。このとき、複数の移動通信システムの要求データが含まれている場合は、各要求データの種別を比較して優先制御が必要か否かを判定し、優先制御が必要な場合は、優先制御対象のシステムに対応する監視制御部へ（３Ｇシステムならば３Ｇ監視制御部３５へ、ＬＴＥシステムならばＬＴＥ監視制御部３６へ）要求データを出力し、優先制御の対象でないシステムに対する要求データは廃棄する。
また、監視制御データ合成分解部３４は、３Ｇ監視制御部３５とＬＴＥ監視制御部３６から同時に要求データに対する応答データを受信した場合は、その二つの応答データを合成して、ＣＰＲＩ通信部３１を介してＬＴＥ−ＲＥＣ２０へ送信する。また、３Ｇ監視制御部３５またはＬＴＥ監視制御部３６のいずれか一方から応答データを受信した場合は、その受信した応答データをそのままＣＰＲＩ通信部３１を介してＬＴＥ−ＲＥＣ２０へ送信する。ただし、優先制御に対する応答データの場合は、優先制御により廃棄された要求データを発信したシステム向けの応答データを生成し、優先制御に対する応答データと合成してＣＰＲＩ通信部３１を介してＬＴＥ−ＲＥＣ２０へ送信する。【００６０】
３Ｇ監視制御部３５は、監視制御データ合成分解部３４から受信した要求データを基に、３Ｇシステムに関連したＲＥ３０内のカード等の状態監視や制御を行い、また、その処理結果を応答データに含めて監視制御データ合成分解部３４へ出力する。【００６１】
ＬＴＥ監視制御部３６は、監視制御データ合成分解部３４から受信した要求データを基に、ＬＴＥシステムに関連したＲＥ３０内のカード等の状態監視や制御を行い、また、その処理結果を応答データに含めて監視制御データ合成分解部３４へ出力する。【００６２】
上記の説明では、無線信号の種別の数が２の場合を代表例として示したが、３以上の無線信号種別を扱う場合も同様である。【００６３】
上記のように、本発明のＲＥ３０は通信方式が異なる複数種類の無線信号を用いて移動機と無線通信ができ、しかも、無線信号種別毎に設けられる無線制御装置（ＲＥＣ）との間のユーザデータの受け渡しは、１本の通信リンクを用いてＲＥ３０と複数のＲＥＣの間を接続することにより実現でき、無線信号の種別、つまり、移動通信システムの数が増えた場合でも、１台のＲＥと各システム別のＲＥＣだけで効率的にシステム構築ができるようになる。つまり、ＲＥを移動通信システム毎に設置することが不要となるため、ＲＥを一度設置してしまえば、システム間で加入者の増減があった場合などでも、容易に対応できる。【００６４】
図１２は、本発明のＩＱデータブロックの構成例である。
ここでは各ＩＱデータ情報の先頭ビット位置にそのＩＱデータ情報の番号を括弧内に表記している。つまり、ＩＱデータ情報（１）−（４）の４個のＩＱデータ情報をＩＱデータブロックに配置する場合を例示している。
このＩＱデータ情報は使用する無線信号種別毎に、つまり、移動通信システム毎にまとめて配置される。つまり、第１のユーザデータとなる３ＧシステムのＩＱデータ情報（１）、（２）が先頭領域から配置され、それに連続する形で、第２のユーザデータとなるＬＴＥシステムのＩＱデータ情報（３）、（４）が配置され、図１２に示した第３のユーザデータが合成される。このユーザデータの合成は、図１３、図１４で後述するビットマップ情報を基に行われる。
このように、本発明では、異なる移動通信システムのＩＱデータが各々まとめられて、かつ、１個のＩＱデータフレーム上の連続した領域に重ならないように調整して配置され、ＩＱデータブロックは１本のＣＰＲＩリンクにより３Ｇ−ＲＥＣ１０、ＬＴＥ−ＲＥＣ２０、ＲＥ３０の間で送受信される。【００６５】
図１３は、本発明のビットマップ情報の構成例である。
ビットマップ情報７００は、無線信号種別数７１０（ｎ）と各無線信号の種別のＩＱデータ配置情報部７２０を含み、ＩＱデータ配置情報部７２０には各無線信号の種別に対応したＩＱデータ配置情報１、２、・・・、ｎが含まれる。【００６６】
各ＩＱデータ配置情報は、無線信号種別ＩＤ７２１、ＩＱデータ情報の数７２２、ＩＱデータ有効情報７２３、および、ＩＱデータ情報長部７２４を含む。
ここで、ＩＱデータ有効情報７２３は各ＩＱデータ情報が有効か否かを示す情報で、例えば、ＩＱデータ情報毎に有効か否かを示す有効ビット情報を対応付け、その有効ビット情報の集まりとして構成することができる。有効ビット情報の値が“１”ならば有効とし、“０”ならば無効とすることができる。
ＩＱデータ情報長部７２４には各ＩＱデータ情報のビット長がそれらのＩＱデータ情報がＩＱデータブロック内に配置される順番に並べられている。従って、このＩＱデータ情報長の列７２４を先頭から順に参照してＩＱデータブロックの先頭から順に設定、もしくは、先頭から順に抽出することによりＩＱデータの合成、または、分解を行うことができる。【００６７】
図１４は、本発明のビットマップ情報の使用例である。
例えば、前記図１２で示したＩＱデータブロックの場合は、３Ｇシステムの無線信号識別ＩＤを“１”とし、ＬＴＥシステムの無線信号識別ＩＤを“２”とすると、図１４のような値のビットマップ情報で表される。３Ｇ無線信号のＩＱデータ配置情報は各々のサイズが３０ビットの２個のＩＱデータ情報を含んでおり、また、ＬＴＥ無線信号のＩＱデータ配置情報は各々のサイズが６０ビットの２個のＩＱデータから構成されている。ここで、Ｂ‘  ・・・’の表記はバイナリ表示を意味する。
上記図１３、図１４に示したように、ビットマップ情報は、各無線信号種別のＩＱデータ配置情報をそのままの形で並べた構成となっており、複数の無線信号種別のビットマップ情報の合成と分解は極めて簡単に行えることが分かる。本発明は、この単純な構成のビットマップ情報を基にＩＱデータブロックの合成と分解を効率的に行うことができる。【００６８】
図１５は、本発明のユーザデータの合成分解の動作フロー（１）で、複数の無線信号種別のＩＱデータを１つのＩＱデータブロックに合成（または分解）する場合のフローを示している。ここでは、複数の異なる無線信号種別のＩＱデータブロックを１つのＩＱデータブロックに合成する場合について説明するが、複数の異なる無線信号種別のＩＱデータブロックが合成されたＩＱデータブロックを、ビットマップ情報を基に各々の無線信号種別のＩＱデータブロッに分解する場合も同様の処理フローで実現できる。つまり、図１５、図１６の括弧内に記載したように、“設定”と表記している部分を“抽出”に置き換えて処理を行えばよい。【００６９】
Ｓ０１．  ＩＱデータ情報をＩＱデータブロック内へ設定する際のＩＱデータブロック内の位置ポインタであるＩＱデータ設定位置ポインタを初期化する。【００７０】
Ｓ０２．  ビットマップ情報から無線信号の種別数を取得し、処理対象となる移動通信システムの数を求める。【００７１】
Ｓ０３．  ビットマップ情報から無線信号種別を選択し、選択した無線信号種別についてのＩＱデータ情報の合成処理を行う。この詳細については、図１６で後述する。【００７２】
Ｓ０４．  全ての無線信号種別についての処理を完了したか否かを判定し、完了した場合は（ＹＥＳ）処理を終了し、完了していない場合は（ＮＯ）ステップＳ０３に戻って次の無線信号種別のＩＱデータの合成処理を継続する。【００７３】
図１６は、本発明のユーザデータの合成分解の動作フロー（２）で、前記図１５の処理ステップＳ０３の詳細を示している。【００７４】
Ｓ３０１．  ビットマップ情報７００内の該当する無線信号種別ＩＤのＩＱデータ配置情報からＩＱデータ情報数とＩＱデータ有効情報を取得する。【００７５】
Ｓ３０２．  ＩＱデータ配置情報内のＩＱデータ情報長部７２４から順次ＩＱデータ情報長を取得する。【００７６】
Ｓ３０３．  取得したＩＱデータ情報長は有効か否かをＩＱデータ有効情報７２３を基に判定し、有効ならば（ＹＥＳ）次のステップＳ３０４へ進み、有効でないならば（ＮＯ）ステップＳ３０５へ移行する。【００７７】
Ｓ３０４．  上記ステップＳ３０２で取得したＩＱデータ情報長が示すビット数のＩＱデータをＩＱデータブロックに設定する。【００７８】
Ｓ３０５．  ＩＱデータ設定位置ポインタを、ＩＱデータ情報長が示すビット数だけ増加させて、更新する。【００７９】
Ｓ３０６．  ＩＱデータ情報数に基づいて全ＩＱデータ情報の処理が完了したか否かを判定し、完了した場合は（ＹＥＳ）処理を終了し、完了していない場合は（ＮＯ）ステップＳ３０２に戻って、次のＩＱデータ情報の処理を行う。【００８０】
上記図１５、図１６に示した処理により、例えば、前記図５、図６にそれぞれ示した３Ｇシステム、ＬＴＥシステムのＩＱデータは、前記図１２に示したようにＩＱデータブロックに配置されて合成される。その時は、同時に前記図１４に示したビットマップ情報が合成される。
また、逆に、前記図１２示したＩＱデータブロックを、前記図１４に示したビットマップ情報を基に、前記図５、図６に示す３Ｇシステム、ＬＴＥシステムのＩＱデータブロックに分解することができる。
このように、ビットマップ情報を基に異なる無線信号種別の複数のＩＱデータの合成分解を行いながら、ＩＱデータブロックへのＩＱデータ情報の配置を行うことにより、異なる種別の無線信号のＩＱデータを同一のＩＱデータブロックに乗せて伝送することが可能となる。これにより、前記図８に示したように異なる移動通信システムの移動機をサポートする共通化されたＲＥ３０を構成し、その共通化されたＲＥ３０と各移動通信システム毎に設けられるＲＥＣとの間のＩＱデータの受け渡しを１本のＣＰＲＩリンクで行うことができる。【００８１】
図１７は、本発明のユーザデータの伝送シーケンス例（１）で、３Ｇ−ＲＥＣ１０から送信されたユーザデータ（ＩＱデータ）と、ＬＴＥ−ＲＥＣ２０から送信されたユーザデータ（ＩＱデータ）が合成されてＲＥ３０に伝送され、ＲＥ３０は受信したＩＱデータを分離して３Ｇシステムの移動機１（３Ｇ−ＭＳ）とＬＴＥシステムの移動機２（ＬＴＥ−ＭＳ）に送信する際の伝送シーケンスを記号Ａ０１―Ａ０９で示している。【００８２】
Ａ０１．  ３Ｇ−ＲＥＣ１０のビットマップ情報入出力部１２は、上位装置（ＲＮＣ）からＩＱデータを受信すると、そのビットマップ情報を生成して、ＣＰＲＩのＶＳフレームの特定のアドレスに挿入し、ＩＱデータフレームと共にＣＰＲＩ通信部１１を介してＬＴＥ−ＲＥＣ２０へ送信する。【００８３】
Ａ０２．  ＬＴＥ−ＲＥＣ２０のＣＰＲＩ通信部２１は、受信したＣＰＲＩの伝送フレームをビットマップ情報入出力部２３へ渡す。ビットマップ情報入出力部２３は、ＣＰＲＩのＩＱデータフレームからＩＱデータブロックを取り出し、またＶＳフレームの特定のアドレスからビットマップ情報を抽出してＩＱデータ合成分解部２２へ出力する。【００８４】
Ａ０３．  一方、上記シーケンスＡ０２と同時に、ＬＴＥ−ＲＥＣ２０のビットマップ情報入出力部２５が上位装置（ａＧＷ）からＩＱデータを受信すると、ビットマップ情報入出力部２５はビットマップ情報を作成し、ＩＱデータ合成分解部２２へ作成したビットマップ情報と受信したＩＱデータを渡す。【００８５】
Ａ０４．  ＩＱデータ合成分解部２２は、上記シーケンスＡ０２で受信した３Ｇシステムのビットマップ情報と、上記シーケンスＡ０３で受信したＬＴＥシステムのビットマップ情報を合成して、新たなビットマップ情報を作成する。そして、新たに作成したビットマップ情報を基にＩＱデータの対応するビット位置を算出して設定することにより、新たなＩＱデータブロックを作成する。
そして、ＩＱデータ合成分解部２２は、合成したビットマップ情報とＩＱデータブロックをビットマップ情報入出力部２４へ送信する。【００８６】
Ａ０５．  ビットマップ情報入出力部２４は、ビットマップ情報を受信すると、ＣＰＲＩのＶＳフレームの特定のアドレスに挿入して、ＩＱデータフレームと共にＣＰＲＩ通信部２１ａへ出力して、ＲＥ３０へ送信する。【００８７】
Ａ０６．  ＲＥ３０のＣＰＲＩ通信部３１は受信したＣＰＲＩ信号をビットマップ情報入出力部３２へ送信する。ビットマップ情報入出力部３２は、ＣＰＲＩ信号のＶＳフレームの所定のアドレスからビットマップ情報を抽出し、また、ＩＱデータブロックをＩＱデータフレームから取り出して、ＩＱデータ合成分解部３３へ出力する。【００８８】
Ａ０７．  ＩＱデータ合成分解部３３は、受信したビットマップ情報（３Ｇシステム、ＬＴＥシステムのビットマップ情報が含まれている）を基に、受信したＩＱデータブロックを３Ｇシステム用とＬＴＥシステム用に分解する。そして、上記ビットマップ情報から抽出した無線信号識別ＩＤを基に、ＩＱデータの送信先を認識し、３Ｇシステムの場合は、分解した３Ｇシステム用のビットマップ情報と、分解したＩＱデータをビットマップ情報入出力部３２ａへ送信する。同じく、ＬＴＥシステムの場合は、分解したＬＴＥシステムのビットマップ情報と、分解したＬＴＥシステムのＩＱデータをビットマップ情報入出力部３２ｂへ送信する。【００８９】
Ａ０８．  ビットマップ情報入出力部３２ａは、３Ｇ無線通信部３７へＩＱデータを送出し、３Ｇ無線通信部３７は、渡されたＩＱデータを所定の無線信号で３Ｇ移動機１（３Ｇ−ＭＳ）へ送信する。              【００９０】
Ａ０９．  ビットマップ情報入出力部３２ｂは、ＬＴＥ無線通信部３８へＩＱデータを送出し、ＬＴＥ無線通信部３８は、渡されたＩＱデータを所定の無線信号でＬＴＥ移動機２（ＬＴＥ−ＭＳ）へ送信する。【００９１】
図１８は、本発明のユーザデータの伝送シーケンス例（２）で、ＲＥ３０が３Ｇ移動機１（３Ｇ−ＭＳ）、ＬＴＥ移動機２（ＬＴＥ−ＭＳ）から同時に無線信号を受信した際のユーザデータ（ＩＱデータ）の流れを、記号Ｂ０１―Ｂ０７で示している。【００９２】
Ｂ０１．  ＲＥ３０の３Ｇ無線通信部３７は、３Ｇ移動機１（３Ｇ−ＭＳ）から所定の無線信号を受信すると、無線信号に含まれているＩＱデータをビットマップ情報入出力部３２ａへ出力する。ビットマップ情報入出力部３２ａは受信したＩＱデータにビットマップ情報を付加してＩＱデータ合成分解部３３へ出力する。【００９３】
Ｂ０２．  一方上記シーケンスＢ０１と同時に、ＲＥ３０のＬＴＥ無線通信部３８は、ＬＴＥ移動機２（ＬＴＥ−ＭＳ）から所定の無線信号を受信すると、無線信号に含まれているＩＱデータをビットマップ情報入出力部３２ｂへ出力する。ビットマップ情報入出力部３２ｂは受信したＩＱデータにビットマップ情報を付加してＩＱデータ合成分解部３３へ出力する。【００９４】
Ｂ０３．  ＩＱデータ合成分解部３３は、入力された３ＧシステムおよびＬＴＥシステムのビットマップ情報を合成し、合成したビットマップ情報を基に、それぞれのＩＱデータを合成して新たなＩＱデータを生成して、ビットマップ情報入出力部３２へ出力する。【００９５】
Ｂ０４．  ビットマップ情報入出力部３２は、入力されたビットマップ情報とＩＱデータをＣＰＲＩ信号に挿入し、ＣＰＲＩ通信部３１を介してＬＴＥ−ＲＥＣ２０へ送信する。【００９６】
Ｂ０５．  ＲＥ３０から送信されたＣＰＲＩ信号はＬＴＥ−ＲＥＣ２０のＣＰＲＩ通信部２１ａで受信され、ビットマップ情報入出力部２４でビットマップ情報とＩＱデータが抽出された後に、ＩＱデータ合成分解部２２へ出力される。【００９７】
Ｂ０６．  ＩＱデータ合成分解部２２は、受信したＩＱデータをビットマップ情報を基に各無線信号種別毎に分解する。そして、ＬＴＥシステムのＩＱデータについてはビットマップ挿入分解部２５へ出力し、３ＧシステムのＩＱデータについてはビットマップ挿入分解部２３へ出力する。ビットマップ情報入出力部２５へ出力されたＩＱデータについては、図示されていないＬＴＥシステムの上位装置（ａＧＷ）へ送信される。【００９８】
Ｂ０７．  また、ビットマップ情報入出力部２３へ出力されたＩＱデータについては、ＣＰＲＩ通信部２１を介して３Ｇ−ＲＥＣ１０へ送信され、３Ｇ−ＲＥＣ１０のビットマップ情報入出力部１２を介して、図示されていない３Ｇシステムの上位装置（ＲＮＣ）へ送信される。【００９９】
図１９は、本発明の監視制御データの構成例（１）で、無線制御装置（ＲＥＣ）から無線装置（ＲＥ）に対して保守監視のための要求を行う際にＲＥＣからＲＥに対してＣＰＲＩの通信リンクを介して送信される要求データの構成例である。
要求データ６００は、１以上の要求情報を含んでおり、各要求情報は監視制御種別６１０、カード番号６２０、無線信号の種別ＩＤ６３０を含んでいる。
例えば、３Ｇシステムの移動機１（３Ｇ−ＭＳ）とＬＴＥシステムの移動機２（ＬＴＥ−ＭＳ）に関する状態監視を同時に行いたい場合は、監視制御種別６１０には“状態報告要求”を示す所定のコードが設定され、カード番号６２０には状態報告の対象となるカードの識別番号が設定され、さらに、無線信号種別ＩＤ６３０には該カードが関係する無線信号の種別、つまり、３Ｇシステムの無線信号かＬＴＥシステムの無線信号かを識別する情報が設定される。要求データ６００に要求情報が複数個含まれる場合は、ＲＥ３０は受信した要求データ６００を各無線信号識別ＩＤ別に分解し、無線信号種別に適合した処理を行って、その結果を応答データとして各無線信号種別に対応するＲＥＣへ返送する。【０１００】
図２０は、本発明の監視制御データの構成例（２）で、前記図１９に示した要求データに対するＲＥからの応答データの構成例を示している。
応答データ５００は、１以上の応答情報を含んでおり、各応答情報は監視制御種別５１０、カード番号５２０、無線信号識別ＩＤ５３０、応答結果５４０、詳細情報５５０を含む。
監視制御種別５１０は応答データの種別を識別するためのコード情報が設定される。
例えば、３Ｇシステムのカードに対する状態報告の要求データがＲＥ３０に対して送信された場合は、監視制御種別５１０にはカード状態報告応答であることを示すコードが設定され、該カードのカード番号が５２０に設定され、３Ｇシステムの無線信号である旨の無線信号識別情報“１”が５３０に設定され、応答結果５４０にはＯＫかＮＧかを、また、詳細情報には状態を示す詳細コードが設定されてＲＥＣに返送される。【０１０１】
ＲＥ３０が複数種別の無線信号を扱っている場合（例えば、３ＧシステムとＬＴＥシステム）は、複数種類の無線信号に関する応答情報が混在してＲＥＣに返送されるが、本発明のＲＥＣでは、これらの混在している応答情報を無線信号の種別別に分解し、該無線信号を扱えるＲＥＣに振り分けられる。
上記図１９、図２０に示すように監視制御データを構成することにより、前記図８に示したように１本の通信リンクを用いて、複数種別の無線信号に関する監視制御データを混在させて３Ｇ−ＲＥＣ１０、ＬＴＥ−ＲＥＣ２０とＲＥ３０の間で送受信することができる。  この監視制御データはＣＰＲＩで規定されているＨＤＬＣフレームに格納して伝送することができる。【０１０２】
図２１は、本発明の監視制御データの伝送シーケンス例（１）で、３Ｇ―ＲＥＣ１０、および、ＬＴＥ−ＲＥＣ２０から同時にＲＥ３０に対してＲＥのカード状態報告の要求データが送信された場合の伝送シーケンスを記号Ｃ０１−Ｃ１１で示している。ここでは、図を見やすくするために、監視制御データの中の要求データを実線矢印で、また、応答データを点線矢印で示している。【０１０３】
Ｃ０１．  ３Ｇ−ＲＥＣ１０の３Ｇ保守監視部１３はＲＥＣ３０に対して要求の監視制御データ、つまり、要求データを送信する場合は、３Ｇシステムを示す無線信号種別ＩＤを付与した要求データを作成し、ＣＰＲＩ通信部１１を介してＬＴＥ−ＲＥＣ２０へ送信する。監視制御データはＣＰＲＩのＨＤＣＬフレームに格納して伝送される。【０１０４】
Ｃ０２．  ＬＴＥ−ＲＥＣ２０のＣＰＲＩ通信部２１は、要求データを含んだＣＰＲＩ信号を受信すると、監視制御データ合成分解部２６へ受信した要求データを出力する。【０１０５】
Ｃ０３．  一方、ＬＴＥ−ＲＥＣ２０は、上記シーケンスＣ０１と同時に、ＬＴＥ−ＲＥＣ２０に接続されているオペレションシステム（ＯＰＳ）からＲＥカード状態報告要求を受信した場合は、ＬＴＥシステムを示す無線信号種別ＩＤを付与した要求データを作成し、監視制御データ合成分解部２６へ出力する。【０１０６】
Ｃ０４．  監視制御データ合成分解部２６は、上記ステップＣ０２で渡された３Gシステムの要求データと上記ステップＣ０３で渡されたＬＴＥシステムの要求データを合成して新たな要求データを作成し、ＣＰＲＩ通信部２１ａを介してＲＥ３０へ送信する。【０１０７】
Ｃ０５．  ＲＥ３０のＣＰＲＩ通信部３１は、受信した要求データを含んだＣＰＲＩ信号を監視制御データ合成分解部３４へ出力する。【０１０８】
Ｃ０６．  監視制御データ合成分解部３４は、合成された要求データを無線信号種別毎に分解する。そして、無線信号種別ＩＤと監視制御種別を判定することによって、どのシステムから何の要求が来たのか、優先制御が必要かどうかを判断する。
例えば、３Ｇシステムからの（つまり、３Ｇ−ＲＥＣ１０から発信された）要求データとＬＴＥシステムからの（つまり、ＬＴＥ−ＲＥＣ２０から発信された）要求データの種別がＲＥ３０のカード状態報告の要求データである場合は、優先制御を実施する必要なしと判断し、３Ｇシステムの要求データは３Ｇ監視制御部３５へ、ＬＴＥシステムの要求データはＬＴＥ監視制御部３６へそれぞれ送信する。【０１０９】
Ｃ０７，Ｃ０８．  ３Ｇ監視制御部３５とＬＴＥ監視制御部３８は、要求データを受信すると、要求データに応じた処理を実施し、結果を応答データに設定して監視制御データ合成分解部３４へ送信する。【０１１０】
Ｃ０９．  監視制御データ合成分解部３４は、３Ｇ監視制御部３５とＬＴＥ監視制御部３６から応答データを受信すると、それらの応答データを合成して、ＣＰＲＩ通信部３１を介してＬＴＥ−ＲＥＣ２０へ送信する。【０１１１】
Ｃ１０．  ＬＴＥ−ＲＥＣ２０のＣＰＲＩ通信部２１ａはＲＥ３０からの応答データを含んだＣＰＲＩ信号を受信すると、受信した応答データを監視制御データ合成分解部２６へ出力する。【０１１２】
Ｃ１１．  監視制御データ合成分解部２６は、応答データを各無線信号種別に分解し、３Ｇシステムに関する応答データについてはＣＰＲＩ通信部２１を介して３Ｇ―ＲＥＣ１０へ送信し、ＬＴＥシステムに関する応答データについてはＬＴＥ保守監視部２７へ送信する。  ＬＴＥ保守監視部２７は渡された応答データを基にＬＴＥ−ＲＥＣ２０に接続されるオペレーションシステム（ＯＰＳ）へ関連情報を送信する。一方、３Ｇ−ＲＥＣ１０の３Ｇ保守監視部１３は、ＬＴＥ−ＲＥＣ２０から送信されてきた応答データを基に３Ｇ−ＲＥＣ１０に接続されるオペレーションシステム（ＯＰＳ）へ関連情報を送信する。【０１１３】
図２２は、本発明の監視制御データの伝送シーケンス例（２）で、３ＧＲＥＣ１０から単独でＲＥ３０に対して要求データを送信した場合の伝送シーケンスを記号Ｄ０１−Ｄ０９で示している。ここでは、図を見やすくするために、監視制御データの中の要求データを実線情報矢印で、また、応答データを点線矢印で示している。【０１１４】
Ｄ０１．  ３Ｇ−ＲＥＣ１０の３Ｇ保守監視部１３は、図示していないオペレーションシステム（ＯＰＳ）からの指示によりＲＥ３０のカードに対する制御要求データを送信する。この際、要求データの無線信号種別ＩＤには３Ｇシステムを示す識別情報を設定する。要求データはＣＰＲＩ通信部１１を介してＬＴＥ−ＲＥＣ２０へ送信される。【０１１５】
Ｄ０２．  上記シーケンスＤ０１で送信された要求データを含んだＣＰＲＩ信号は、ＬＴＥ−ＲＥＣ２０のＣＰＲＩ通信部２１で受信され、監視制御データ合成分解部２６に出力される。                   【０１１６】
Ｄ０３．  監視制御データ合成分解部２６は、ＣＰＲＩ通信部２１から渡された要求データをＣＰＲＩ通信部２１ａを介してＲＥ３０へ送信する。このときは、前記図２１のケースとは異なり、ＬＴＥ保守監視部２７からの要求データはないため、監視制御データの合成は行われない。【０１１７】
Ｄ０４．  ＲＥ３０のＣＰＲＩ通信部３１は、要求データを含んだＣＰＲＩ信号を受信すると、要求データを監視制御データ合成分解部３４へ出力する。【０１１８】
Ｄ０５．  監視制御データ合成分解部３４は、要求データに含まれる無線信号種別ＩＤと監視制御種別を判定することによって、どのシステムから何の要求が来たのかを判断する。この場合は、３Ｇシステムからの要求データのみ受信しているため、その３Ｇシステムの要求データを３Ｇ監視制御部３５へ送信する。        【０１１９】
Ｄ０６．  ３Ｇ監視制御部３５は、要求データを受信すると、要求データに応じた処理を実施し、その処理結果を応答データに設定して監視制御データ合成分解部３４へ渡す。このとき、応答データの無線信号種別ＩＤには３Ｇシステムを示す識別コード（例えば１）が設定される。【０１２０】
Ｄ０７．  監視制御データ合成分解部３４は、３Ｇシステムの応答信号を受信すると、応答データをＣＰＲＩ通信部３１を介してＬＴＥ−ＲＥＣ２０へ送信する。【０１２１】
Ｄ０８．  応答データを含んだＣＰＲＩ信号を受信したＬＴＥ−ＲＥＣ２０のＣＰＲＩ通信部２１ａは、応答データを監視制御データ合成分解部２６へ出力する。【０１２２】
Ｄ０９．  監視制御データ合成分解部２６は、３Ｇシステムからの要求データに対する応答データを受信したため、該応答データをＣＰＲＩ通信部２１を介して３Ｇ−ＲＥＣ１０へ送信する。３Ｇ−ＲＥＣ１０の３Ｇ保守監視部１３は、応答データを受信すると、応答データの内容に応じた処理を実施し、必要に応じて図示していないオペレーションシステム（ＯＰＳ）へ通知する。【０１２３】
図２３は、本発明の監視制御データの伝送シーケンス例（３）で、３Ｇ―ＲＥＣ１０、および、ＬＴＥ−ＲＥＣ２０から同時にＲＥ３０に対して要求データが送信され、ＲＥ３０で優先制御を行う場合の伝送シーケンスを、記号Ｅ０１−Ｅ１０で示している。ここでは、図を見やすくするために、監視制御データの中の要求データを実線情報矢印で、また、応答データを点線矢印で示している。【０１２４】
Ｅ０１．  ３Ｇ−ＲＥＣ１０の３Ｇ保守監視部１３はＲＥＣ３０に対して要求データを送信する場合は、３Ｇシステムを示す無線信号種別ＩＤを付与した要求データを作成し、ＣＰＲＩ通信部１１を介してＬＴＥ−ＲＥＣ２０へ送信する。【０１２５】
Ｅ０２．  ＬＴＥ−ＲＥＣ２０のＣＰＲＩ通信部２１は、ＣＰＲＩ信号を受信すると、監視制御データ合成分解部２６へ受信した要求データを出力する。【０１２６】
Ｅ０３．  一方、ＬＴＥ−ＲＥＣ２０は、上記シーケンスＥ０２と同時に、ＬＴＥ−ＲＥＣ２０に接続されている図示していないオペレーションシステム（ＯＰＳ）からＲＥカード状態報告要求を受信した場合は、ＬＴＥシステムを示す無線信号種別ＩＤを付与した要求データを作成し、監視制御データ合成分解部２６へ出力する。【０１２７】
Ｅ０４．  監視制御データ合成分解部２６は、上記ステップＥ０２で渡された３Ｇシステムの要求データと、上記ステップＥ０３で渡されたＬＴＥシステムの要求データを合成して新たな要求データを作成し、ＣＰＲＩ通信部２１ａを介してＲＥ３０へ送信する。【０１２８】
Ｅ０５．  ＲＥ３０のＣＰＲＩ通信部３１は、受信したＣＰＲＩ信号を監視制御データ合成分解部３４へ出力する。【０１２９】
Ｅ０６．  ＲＥ３０の監視制御データ合成分解部３４は、要求データを分解して無線信号種別ＩＤと監視制御種別を判定することによって、どのシステムから何の要求が来たのか、優先制御が必要かどうかを判断する。例えば、３Ｇシステムからの要求データがＲＥ３０に対するシステムリセット要求と認識すると、ＬＴＥシステムにも影響があるために優先制御を実施する必要有りと判断し、３Ｇシステムの要求データについては３Ｇ監視制御部３５へ送信し、ＬＴＥシステムの要求データは、システムリセットとの競合なので、この場合は破棄する。【０１３０】
Ｅ０７．  ３Ｇ監視制御部３５は、要求データを受信すると、要求データに応じた処理を実施し、その処理結果を応答データに設定して監視制御データ合成分解部３４へ出力する。【０１３１】
Ｅ０８．  監視制御データ合成分解部３４は、３Ｇシステムからの応答データを受信すると、ＲＥ３０がシステムリセットされたことによりＬＴＥシステムの信号が破棄されたため、ＬＴＥシステムにも通知が必要だと判断し、ＬＴＥシステム用の応答データを生成する。そして、生成したＬＴＥシステム用の応答データと、上記３Ｇシステムからの応答データを合成して新たな応答データとしてＣＰＲＩ通信部３１を介してＬＴＥ−ＲＥＣ２０へ送信する。【０１３２】
Ｅ０９．  ＲＥ３０から送信された応答データを含んだＣＰＲＩ信号はＬＴＥ−ＲＥＣ２０のＣＰＲＩ通信部２１ａで受信され、監視制御データ合成分解部２６へ出力される。【０１３３】
Ｅ１０．  監視制御データ合成分解部２６は、応答データを分解して、３Ｇシステムの応答データについてはＣＰＲＩ通信部２１を介して３Ｇ−ＲＥＣ１０へ送信し、ＬＴＥシステムの応答データについてはＬＴＥ保守監視部２７へ出力する。
３Ｇ−ＲＥＣ１０の３Ｇ保守監視部１３と、ＬＴＥ−ＲＥＣ２０のＬＴＥ保守監視部２７は、応答データを受信してその内容に応じた処理を行う。        【０１３４】
図２４は、本発明の監視制御の動作フロー（１）で、ＬＴＥ−ＲＥＣ２０の監視制御データ合成分解部２６で複数の無線信号種別に関する要求データを新たな１個の監視制御データに合成する際の動作フローを示している。【０１３５】
Ｓ４０１．  要求データの取り込みを行う。【０１３６】
Ｓ４０２．  取り込んだ要求データがあるか否かを判定し、ある場合は（ＹＥＳ）次のステップＳ４０３へ進み、ない場合は（ＮＯ）ステップＳ４０１へ戻って要求データの取り込みを続ける。【０１３７】
Ｓ４０３．  取り込んだ要求データから無線信号種別ＩＤを抽出する。【０１３８】
Ｓ４０４．  複数の無線信号種別ＩＤが含まれているか否かを判定し、複数含まれている場合は（ＹＥＳ）次のステップＳ４０５へ進み、複数含まれていない場合は（ＮＯ）ステップＳ４０６へ移行する。【０１３９】
Ｓ４０５．  取り込んだ複数の無線信号識別ＩＤに関する要求データを合成して、新たな要求データとして出力し、処理を終了する。【０１４０】
Ｓ４０６．  該単独の無線信号種別に関する要求データを出力して処理を終了する。【０１４１】
図２５は、本発明の監視制御の動作フロー（２）で、合成された要求データを受信したＲＥ３０の監視制御データ合成分解部３４が優先制御を行う場合を示している。【０１４２】
Ｓ５０１．  要求データの取り込みを行う。【０１４３】
Ｓ５０２．  取り込まれた要求データがあるか否かを判定し、ある場合は（ＹＥＳ）次のステップＳ５０３へ進み、ない場合は（ＮＯ）ステップＳ５０１へ戻って要求データの取り込みを継続する。【０１４４】
Ｓ５０３．  取り込んだ要求データから無線信号種別ＩＤを抽出する。【０１４５】
Ｓ５０４．  複数の無線信号種別に関する要求データが含まれているか否かを判定し、含まれている場合は（ＹＥＳ）次のステップＳ５０５へ進み、含まれていない場合は（ＮＯ）ステップＳ５０９へ移行する。【０１４６】
Ｓ５０５．  各要求データに含まれるパラメータを比較分析する。比較分析は、例えば、優先制御が必要なパラメータをあらかじめテーブル等に登録しておき比較することで実現できる。【０１４７】
Ｓ５０６．  上記ステップＳ５０５の分析結果に基づき、優先制御が必要か否かを判定し、優先制御が必要な場合は（ＹＥＳ）次のステップＳ５０７へ進み、優先制御が必要でない場合は（ＮＯ）ステップＳ５０８へ移行する。【０１４８】
Ｓ５０７．  優先制御対象の無線信号種別に対応する監視制御部へ分解した要求データを出力し、処理を終了する。【０１４９】
Ｓ５０８．  取り込まれた複数の無線信号種別に対応する監視制御部のそれぞれへ分解した要求データを出力し、処理を終了する。【０１５０】
Ｓ５０９．  該無線信号種別に対応する監視制御部へ要求データを出力して、処理を終了する。【０１５１】
図２６は、本発明の監視制御の動作フロー（３）で、ＲＥ３０の監視制御データ合成分解部３４が応答データを合成する場合の動作フローを示している。【０１５２】
Ｓ６０１．  要求データに対する応答データを各無線信号種別に対応する監視制御部から受信する。【０１５３】
Ｓ６０２．  直前に送信した要求データに対応する応答データを全て受信したか否かを判定し、受信した場合は（ＹＥＳ）次のステップＳ６０３へ進み、そうでない場合は（ＮＯ）ステップＳ６０１へ戻って応答データの受信を継続する。【０１５４】
Ｓ６０３．  受信した応答データに複数の無線信号種別に関する監視制御データが含まれているか否かを判定し、複数含まれている場合は（ＹＥＳ）次のステップＳ６０４へ進み、そうでない場合は（ＮＯ）ステップＳ６０６へ移行する。【０１５５】
Ｓ６０４．  受信した応答データを合成して新たな応答データとする。【０１５６】
Ｓ６０５．  応答データを出力して処理を終了する。【０１５７】
Ｓ６０６．  優先制御に対する応答データか否かを判定し、優先制御に対する応答データの場合は（ＹＥＳ）次のステップＳ６０７へ進み、そうでない場合は（ＮＯ）ステップＳ６０５へ移行する。【０１５８】
Ｓ６０７．  優先制御により廃棄された要求データに対する応答データを生成して受信した応答データと合成して新たな応答データとし、ステップＳ６０５へ移行する。【０１５９】
図２７は、本発明の監視制御の動作フロー（４）で、ＬＴＥ−ＲＥＣ２０の監視制御データ合成分解２６が合成された応答データをＲＥ３０から受信した場合の動作フローを示している。【０１６０】
Ｓ７０１．  ＬＴＥ−ＲＥＣ２０の監視制御データ合成分解２６は、ＲＥ３０から応答データを受信する。【０１６１】
Ｓ７０２．  直前に送信した要求データに対応する応答データか否かを判定し、要求に対応する応答データの場合は（ＹＥＳ）次のステップＳ７０３へ進み、そうでない場合は（ＮＯ）ステップＳ７０１へ戻って、要求に対する応答データの受信を待ち合わせる。【０１６２】
Ｓ７０３．  受信した応答データを各無線信号種別毎の応答データに分解する。【０１６３】
Ｓ７０４．  分解した応答データを、それぞれの無線信号種別に対応するＲＥＣの監視制御データ合成分解部へ送信し、処理を終了する。
【図１】
2008120297.tif 000003
【図２】
2008120297.tif 000004
【図３】
2008120297.tif 000005
【図４】
2008120297.tif 000006
【図５】
2008120297.tif 000007
【図６】
2008120297.tif 000008
【図７】
2008120297.tif 000009
【図８】
2008120297.tif 000010
【図９】
2008120297.tif 000011
【図１０】
2008120297.tif 000012
【図１１】
2008120297.tif 000013
【図１２】
2008120297.tif 000014
【図１３】
2008120297.tif 000015
【図１４】
2008120297.tif 000016
【図１５】
2008120297.tif 000017
【図１６】
2008120297.tif 000018
【図１７】
2008120297.tif 000019
【図１８】
2008120297.tif 000020
【図１９】
2008120297.tif 000021
【図２０】
2008120297.tif 000022
【図２１】
2008120297.tif 000023
【図２２】
2008120297.tif 000024
【図２３】
2008120297.tif 000025
【図２４】
2008120297.tif 000026
【図２５】
2008120297.tif 000027
【図２６】
2008120297.tif 000028
【図２７】
2008120297.tif 000029
【国際調査報告】
2008120297.tif 000030
2008120297.tif 000031